(57)【要約】【課題】釣竿装着部が曲がってしまうことを防止する。【解決手段】リール本体１０は、第１本体部１、第２本体部２、第１連結部３１、第２連結部３２、固定部５、及び釣竿装着部６を備える。第１本体部１と第２本体部２とは、第１及び第２連結部３１，３２によって連結される。固定部５は、第１連結部３１に設けられる。固定部５は、側面視において、第２本体部２の外周縁より突出する。釣竿装着部６は、固定部５に固定される。【選択図】図１
2015139396.tif 000002
【特許請求の範囲】
【請求項１】
前方に釣糸を繰り出す両軸受リールのリール本体であって、
所定の間隔をあけて対向するように配置され、少なくともいずれか一方の外形が、側面視において、円形又は略円形である第１及び第２本体部と、
前記第１本体部と第２本体部とを連結する連結部と、
前記連結部に設けられ、側面視において、前記第１及び第２本体部の少なくとも一方の外周縁より突出する固定部と、
釣竿に装着されるように構成され、前記固定部に固定された釣竿装着部と、
を備える、両軸リールのリール本体。
【請求項２】
前記固定部は、側面視において、前記第１本体部及び前記第２本体部の少なくとも一方の外周縁より前方に突出する、
請求項１に記載の両軸リールのリール本体。
【請求項３】
前記釣竿装着部は、前後方向に延び、
前記連結部は、前記釣竿装着部と交差する方向に延び、
前記固定部は、前記連結部の長手方向の中央部から突出する、
請求項１又は２に記載の両軸リールのリール本体。
【請求項４】
前記釣竿装着部は、カシメピンによって、前記固定部に固定される、
請求項１から３のいずれかに記載の両軸リールのリール本体。
【請求項５】
前記第１本体部は、前記第２本体部よりも直径が大きく、
前記固定部は、側面視において、前記第１本体部の外周縁よりも内側に位置し、前記第２本体部の外周縁よりも外側に位置する、
請求項１から４のいずれかに記載の両軸リールのリール本体。
【請求項６】
前記連結部は、側面視において、前記第１及び第２本体部の外周縁より内側に位置する、
請求項１から５のいずれかに記載の両軸リールのリール本体。
【請求項７】
前記連結部は、前後方向に互いに間隔をあけて配置され且つ前記第１本体部と前記第２本体部とを連結する第１連結部及び第２連結部を有する、
請求項１から６のいずれかに記載の両軸リールのリール本体。
【請求項８】
前記釣竿装着部は、前記固定部及び前記第２連結部に固定される、
請求項７に記載の両軸リールのリール本体。
【請求項９】
前記第１連結部及び前記第２連結部は、側面視において、前記第１及び第２本体部の外周縁より内側に位置する、
請求項７または８のいずれかに記載の両軸リールのリール本体。
【発明の詳細な説明】
【技術分野】
【０００１】
本発明は、両軸受リールのリール本体に関するものである。
【背景技術】
【０００２】
一般的に、両軸受リールは、スプールを回転可能に支持するリール本体を備えている。リール本体は、第１及び第２本体部、連結部、及び釣竿装着部を有している。第１及び第２本体部は、連結部によって互いに連結されている。釣竿装着部は、釣竿に装着される部分である。この釣竿装着部は、カシメピンなどを介して連結部に固定されている（特許文献１参照）。
【先行技術文献】
【特許文献】
【０００３】
【特許文献１】特開２００３−２３５４１４号公報
【発明の概要】
【発明が解決しようとする課題】
【０００４】
魚を釣り上げる際には、釣竿に装着される部分である釣竿装着部に荷重が作用するため、釣竿装着部の端部と連結部との間の距離が長くなると、釣竿装着部が曲がってしまうおそれがある。
【０００５】
本発明の課題は、釣竿装着部が曲がってしまうことを防止することにある。
【課題を解決するための手段】
【０００６】
本発明のある側面に係る両軸受リールのリール本体は、前方に釣糸を繰り出す。このリール本体は、第１本体部、第２本体部、連結部、固定部、及び釣竿装着部を備える。第１本体部と第２本体部とは、所定の間隔をあけて対向するように配置されている。第１本体部と第２本体部との少なくともいずれか一方の外形は、側面視において、円形又は略円形である。連結部は、第１本体部と第２本体部とを連結する。固定部は、連結部に設けられる。固定部は、側面視において、第１及び第２本体部の少なくとも一方の外周縁より突出する。釣竿装着部は、釣竿に装着されるように構成される。釣竿装着部は、固定部に固定される。
【０００７】
この構成によれば、釣竿装着部が固定される固定部は、第１及び第２本体部の少なくとも一方の外周縁よりも突出するように構成されている。このため、固定部に釣竿装着部を固定するための固定手段と、釣竿装着部の端部との距離を短くすることができる。この結果、魚を釣り上げる際などに釣竿装着部に作用するモーメントを低減させることができ、ひいては、釣竿装着部が曲がってしまうことを防止することができる。
【０００８】
好ましくは、固定部は、側面視において、第１本体部及び第２本体部の少なくとも一方の外周縁より前方に突出する。釣竿装着部の前部にはより荷重が作用しやすいが、この構成によれば、釣竿装着部の前端部と固定手段との距離を短くすることができ、釣竿装着部の前部に作用するモーメントを低減させることができる。
【０００９】
好ましくは、釣竿装着部は、前後方向に延びる。連結部は、釣竿装着部と交差する方向に延びる。固定部は、連結部の長手方向の中央部から突出する。
【００１０】
好ましくは、釣竿装着部は、カシメピンによって、固定部に固定される。
【００１１】
好ましくは、第１本体部は、第２本体部よりも直径が大きい。固定部は、側面視において、第１本体部の外周縁よりも内側に位置し、第２本体部の外周縁よりも外側に位置する。この構成によれば、固定部は、第１本体部の外周縁よりも内側に位置しているため、第１本体部の加工が容易となる。
【００１２】
好ましくは、連結部は、側面視において、前記第１及び第２本体部の外周縁より内側に位置する。
【００１３】
好ましくは、連結部は、第１連結部と第２連結部とを有する。第１連結部と第２連結部とは、前後方向に互いに間隔をあけて配置される。また、第１連結部と第２連結部とは、第１本体部と第２本体部とを連結する。
【００１４】
好ましくは、釣竿装着部は、固定部及び第２連結部に固定される。
【００１５】
好ましくは、第１及び第２連結部は、側面視において、第１及び第２本体部の外周縁より内側に位置する。
【発明の効果】
【００１６】
本発明によれば、釣竿装着部が曲がってしまうことを防止することができる。
【図面の簡単な説明】
【００１７】
【図１】両軸受リールの斜視図。
【図２】両軸受リールの断面図。
【図３】両軸受リールの側面図。
【図４】変形例３に係る両軸受リールの断面図。
【図５】変形例３に係る両軸受リールの側面図。
【図６】変形例４に係る両軸受リールの断面図。
【図７】変形例４に係る両軸受リールの側面図。
【発明を実施するための形態】
【００１８】
以下、本発明に係る両軸受リールのリール本体の実施形態について図面を参照しつつ説明する。図１は両軸受リールの斜視図、図２は両軸受リールの断面図である。
【００１９】
図１に示すように、本実施形態に係る両軸受リール１００は、前方へ釣糸を繰り出す。両軸受リール１００は、リール本体１０と、ハンドル１１０と、スプール１２０と、レベルワインド機構１３０とを備えている。また、図２に示すように、両軸受リール１００は、回転伝達機構１４０をさらに備えている。
【００２０】
図１及び図２に示すように、リール本体１０は、第１本体部１、第２本体部２、連結部３、固定部５、及び釣竿装着部６を有する。また、リール本体１０は、第１サイドカバー７、及び第２サイドカバー８をさらに有する。
【００２１】
第１本体部１と、第２本体部２とは、間隔をあけて対向するように配置されている。図３に示すように、第１本体部１は、側面視において、実質的に円形状に形成されており、第２本体部２よりも直径が大きい。なお、図３は、両軸受リールの側面図である。
【００２２】
図２に示すように、第１本体部１は側面（図２の左側面）が開口しており、この開口部は第１サイドカバー７によって塞がれている。なお、第１サイドカバー７は、側面視において、一部が重なった２つの円形状に形成されている。第１本体部１と第１サイドカバー７とによって形成される第１内部空間１１に、回転伝達機構１４０などが収容される。
【００２３】
図３に示すように、第２本体部２は、側面視において、実質的に円形状に形成されており、第１本体部１よりも直径が小さい。図２に示すように、第２本体部２は側面（図２の右側面）が開口しており、この開口部は第２サイドカバー８によって塞がれている。第２本体部２と第２サイドカバー８とによって形成される第２内部空間２１内に、バックラッシュを防止するための遠心ブレーキ機構（図示省略）などが収容される。
【００２４】
図１及び図２に示すように、連結部３は、第１本体部１と第２本体部２とを連結する。連結部３は、第１連結部３１及び第２連結部３２を有する。第１連結部３１と第２連結部３２とは、前後方向に互いに間隔をあけて配置されている。
【００２５】
第１連結部３１は、第１本体部１と第２本体部２とを連結する。第１連結部３１は、第１本体部１と第２本体部２との間を延びている。すなわち、第１連結部３１は、釣竿装着部６と交差する方向に延びている。
【００２６】
第１連結部３１は、第１本体部１及び第２本体部２と一体的に形成されている。図２及び図３に示すように、第１連結部３１は、側面視において、第２本体部２の外周縁よりも内側に位置している。すなわち、図３に示すように、第１連結部３１は、側面視において、第２本体部２と重なる位置に配置されている。
【００２７】
図２に示すように、第２連結部３２は、第１本体部１と第２本体部２とを連結する。第２連結部３２は、第１本体部１と第２本体部２との間を延びている。すなわち、第２連結部３２は、釣竿装着部６と交差する方向に、第１連結部３と実質的に平行に延びている。第２連結部３２は、前後方向において第１連結部３と間隔をあけて配置されている。詳細には、第２連結部３２は、第１連結部３１の後方に配置されている。
【００２８】
第２連結部３２は、第１本体部１及び第２本体部２と一体的に形成されている。図２及び図３に示すように、第２連結部３２は、側面視において、第２本体部２の外周縁よりも内側に位置している。すなわち、図３に示すように、第２連結部３２は、側面視において、第２本体部２と重なる位置に配置されている。
【００２９】
図１及び図２に示すように、固定部５は、連結部３に設けられている。具体的には、固定部５は、第１連結部３１に設けられている。図３に示すように、固定部５は、側面視において、第２本体部２の外周縁より突出している。すなわち、固定部５の少なくとも一部は、第２本体部２の外周縁よりも外側に位置している。詳細には、固定部５は、側面視において、第２本体部２の外周縁より前方に突出している。
【００３０】
図１及び図２に示すように、固定部５は、第１連結部３１の長手方向の中央部から前方に突出している。図３に示すように、固定部５は、側面視において、第１本体部１の外周縁よりも内側に位置し、且つ固定部５の少なくとも一部は、側面視において、第２本体部２の外周縁よりも外側に位置している。
【００３１】
図２に示すように、釣竿装着部６は、釣竿に装着されるように構成されている。釣竿装着部６は、前後方向に延びている。釣竿装着部６は、固定部５及び第２連結部３２に固定されている。詳細には、釣竿装着部６は、第１カシメピン１５１によって固定部５に固定されており、第２カシメピン１５２によって第２連結部３２に固定されている。この釣竿装着部６の前端部及び後端部が、釣竿に装着される。
【００３２】
図２に示すように、ハンドル１１０は、リール本体１０の外側面に回転可能に装着されている。ハンドル１１０を回転操作することによって、回転伝達機構１４０を介して、スプール１２０及びレベルワインド機構１３０を駆動する。
【００３３】
回転伝達機構１４０は、ハンドル１１０の回転をスプール１２０及びレベルワインド機構１３０に伝達する機構である。回転伝達機構１４０は、第１内部空間１１内に設置されている。回転伝達機構１４０は、駆動軸１４１、駆動ギア１４２、ピニオンギア（図示省略）、及び第１ギア１４３を有する。
【００３４】
駆動軸１４１は、ハンドル１１０と連結されており、ハンドル１１０と一体的に回転する。なお、駆動軸１４１は、ワンウェイクラッチ１４４によって、釣糸繰り出し方向への回転が禁止される。駆動ギア１４２は、駆動軸１４１に装着され、駆動軸１４１と一体的に回転する。ピニオンギアは、駆動ギア１４２にかみ合う。なお、ピニオンギアは筒状である。第１ギア１４３は、駆動軸１４１に装着され、駆動軸１４１と一体的に回転する。
【００３５】
図１に示すように、スプール１２０は、第１本体部１と第２本体部２との間に配置されている。スプール１２０の外周面には、釣糸が巻き付けられる。スプール１２０は、スプール軸１２１に固定され、スプール軸１２１と一体的に回転する。なお、スプール軸１２１は、第１本体部１と第２本体部２との間を延びている。スプール軸１２１は、軸受部材などを介して、第１及び第２本体部１，２に回転可能に支持されている。なお、スプール軸１２１は、ピニオンギアと一体的に回転可能である。
【００３６】
レベルワインド機構１３０は、スプール１２０上に釣糸を均等に巻きつけるための機構である。レベルワインド機構１３０は、ウォームシャフト（図示省略）、案内部材１３１、及び摺動部材１３２を有している。
【００３７】
ウォームシャフトは、第１本体部１と第２本体部２との間を延びている。ウォームシャフトの端部には、第１ギア１４３と噛み合う第２ギア（図示省略）が装着されている。このため、ウォームシャフトは、ハンドル１１０の回転と連動して回転する。また、ウォームシャフトを覆うように、筒状の案内部材１３１が配置されている。摺動部材１３２は、案内部材１３１に沿って、ウォームシャフトの回転と連動して往復移動する。
【００３８】
［特徴］
本実施形態に係る両軸受リール１００のリール本体１０は、次の特徴を有する。
【００３９】
本実施形態に係る両軸受リール１００のリール本体１０は、前方に釣糸を繰り出す。このリール本体１０は、第１本体部１、第２本体部２、連結部３、固定部５、及び釣竿装着部６を備える。第１本体部１と第２本体部２とは、所定の間隔をあけて対向するように配置されている。第１本体部１及び第２本体部２の外形は、側面視において、円形である。連結部３は、第１本体部１と第２本体部２とを連結する。固定部５は、連結部３に設けられる。詳細には、第１連結部３１に設けられる。固定部５は、側面視において、第２本体部２の外周縁より突出する。釣竿装着部６は、釣竿に装着されるように構成される。釣竿装着部６は、固定部５に固定される。
【００４０】
この構成によれば、釣竿装着部６が固定される固定部５は、第２本体部２の外周縁よりも突出するように構成されている。このため、釣竿装着部６の先端と、第１カシメピン１５１との距離を短くすることができる。この結果、魚を釣り上げる際などに釣竿装着部６に作用するモーメントを低減させることができ、ひいては、釣竿装着部６が曲がってしまうことを防止することができる。
【００４１】
［変形例］
以上、本発明の実施形態について説明したが、本発明はこれらに限定されるものではなく、本発明の趣旨を逸脱しない限りにおいて種々の変更が可能である。
【００４２】
変形例１
上記実施形態では、固定部５は、第１本体部１の外周縁よりも内側に位置しているが、特にこれに限定されない。例えば、固定部５は、第１本体部１の外周縁よりも外側に位置していてもよい。
【００４３】
変形例２
釣竿装着部６は、第１カシメピン１５１によって固定部５に固定されているが、特にこれに限定されない。例えば、ボルト又は溶接などの他の固定手段によって、釣竿装着部６は固定部５に固定されていてもよい。
【００４４】
変形例３
上記実施形態では、連結部３は、第１連結部３１と第２連結部３２との２つの連結部から構成されているが、特にこれに限定されない。例えば、連結部３は、第１連結部３１と第２連結部３２とが一体的に形成された１つの連結部から構成されていてもよい。
【００４５】
変形例４
上記実施形態では、連結部３は、側面視において、第２本体部２の外周縁よりも外側に位置する固定部５が設けられた第１連結部３１と、第２連結部３２との２つの連結部から構成され、第１連結部３１及び第２連結部３２は、共に、側面視において、第２本体部２の外周縁よりも内側に位置しているが、特にこれに限定されない。すなわち、少なくとも固定部５が設けられた第１連結部３１が、側面視において、第２本体部２の外周縁よりも内側に位置していればよく、固定部５が設けられていない第２連結部３２は、側面視において、第２本体部２の外周縁よりも外側に位置していてもよい。
【００４６】
変形例５
上記実施形態では、固定部５は第１連結部３１に設けられているが、特にこれに限定されない。例えば、図４に示すように、固定部５は、第２連結部３２に設けられていてもよい。詳細には、固定部５は、第２連結部３２から後方に突出しているような構成であってもよい。この場合、図５に示すように、固定部５は、第２本体部２の外周縁よりも外側に突出する。すなわち、固定部５は、第２本体部２の外周縁よりも後方に突出する。
【００４７】
変形例６
上記実施形態では、固定部５は、第１連結部３１にのみ設けられているが、特にこれに限定されない。例えば、図６に示すように、第２連結部３２にも固定部５１が設けられていてもよい。この場合、第２連結部３２に設けられた固定部５１は、後方に突出する。また、図７に示すように、第１連結部３１及び第２連結部３２のいずれも、側面視において、第２本体部２の外周縁よりも内側に位置しており、固定部５、５１は、いずれも、側面視において、第２本体部２の外周縁よりも外側（前方又は後方）に突出する。
【符号の説明】
【００４８】
１    第１本体部
２    第２本体部
３    連結部
３１    第１連結部
３２    第２連結部
５    固定部
６    釣竿装着部
【図１】
2015139396.tif 000003
【図２】
2015139396.tif 000004
【図３】
2015139396.tif 000005
【図４】
2015139396.tif 000006
【図５】
2015139396.tif 000007
【図６】
2015139396.tif 000008
【図７】
2015139396.tif 000009